(57)【要約】【課題】パネル構造体の閉鎖空間をエンクロージャとして用いたサブウーハーとした良好な低音を提供する。【解決手段】ローパスフィルタ７９として、減衰特性＝−４０ｄＢ／ｏｃｔ、カットオフ周波数（Ｆｃ）＝２００Ｈｚの特性を有するものを使用し、レベル調整器８０でローパスフィルタ７９からの出力のレベルを上昇するので、パネル構造体２０の閉鎖空間Ｄをエンクロージャとして用いたサブウーハーとした良好な音響特性を持つ遊技音響装置を構成することができ、音響特性上のピークを回避することができる。【選択図】図１
2008237501.tif 000002
【特許請求の範囲】
【請求項１】
遊技機枠の前扉には窓と窓を後側から塞ぐパネル構造体と中高音放音孔部と低音放音孔部とが設けられ、パネル構造体が前面パネルと後面パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間および音出口部を経由して低音放音孔部から前扉の前方に放出される遊技音響装置であって、前面パネルと後面パネルとの共振によって発生する音圧のピークを遮断もしくは低減するローパスフィルタと、前面パネルと後面パネルとの共振によって発生する音圧のディップを上昇するようにローパスフィルタからの出力信号の電圧レベルを増加して低音スピーカに供給するレベル調整器とを備えたことを特徴とする遊技音響装置。
【請求項２】
遊技機枠の前扉には窓と窓を後側から塞ぐパネル構造体と中高音スピーカと中高音放音孔部と低音放音孔部とが設けられ、中高音スピーカから放出された中高音が中高音放音孔部を経由して前扉の前方に放出され、パネル構造体が前面パネルと後面パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間および音出口部を経由して低音放音孔部から前方に放出される遊技音響装置であって、中高音スピーカに対するステレオ右チャンネル信号およびステレオ右チャンネル信号からの出力を加算してモノラル信号を生成する加算回路と、加算回路から出力されたモノラル信号から前面パネルと後面パネルとの共振によって発生する音圧のピークを遮断もしくは低減するローパスフィルタと、前面パネルと後面パネルとの共振によって発生する音圧のディップを上昇するようにローパスフィルタからの出力信号の電圧レベルを増加して低音スピーカに供給するレベル調整器とを備えたことを特徴とする遊技音響装置。
【請求項３】
中高音スピーカが前側で低音スピーカが後側となるように、中高音スピーカおよび低音スピーカが前後方向に重ねられて配置されたことを特徴とする請求項２記載の遊技音響装置。
【請求項４】
パネル構造体の後側に配置されるように遊技機枠に取り付けられる遊技盤には低音スピーカを逃げるためのスピーカ逃避部が設けられたことを特徴とする請求項１または請求項２記載の遊技音響装置。
【請求項５】
低音スピーカを後側から被覆するスピーカ後カバーがスピーカ設置部に設けられ、スピーカ後カバーには低音スピーカ後側に放出される低音をスピーカ後カバーの内部から後側に放出する放音孔部が設けられたことを特徴とする請求項１または請求項２記載の遊技音響装置。
【発明の詳細な説明】
【技術分野】
【０００１】
本発明は、パネル構造体の閉鎖空間をエンクロージャとして用いた低音の良好な音響特性を持つ遊技音響装置に関する。
【背景技術】
【０００２】
遊技音響装置には、次のような構造のものが知られている。その１つは、遊技機枠の後側にスピーカとエンクロージャとが一体になったスピーカ構造体を設け、エンクロージャの音をパイプで遊技機枠の前方に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには周波数が高くなるという欠点がある。さらにもう１つは、圧電式スピーカを前扉のガラスに接触した構造であるが、この場合、圧電式スピーカによってガラスが適切に振動しないという欠点がある。最後の１つは、圧電式スピーカを前扉に貼り付けた構造であるが、この場合、前扉を構成する合成樹脂の共振周波数が高いため、圧電式スピーカによって前扉を構成する合成樹脂が適切に振動しないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、低音の音響特性が悪いという点である。
【課題を解決するための手段】
【０００４】
本発明に係る遊技音響装置は、遊技機枠の前扉には窓と窓を後側から塞ぐパネル構造体と中高音放音孔部と低音放音孔部とが設けられ、パネル構造体が前面パネルと後面パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間および音出口部を経由して低音放音孔部から前扉の前方に放出される遊技音響装置であって、前面パネルと後面パネルとの共振によって発生する音圧のピークを遮断もしくは低減するローパスフィルタと、前面パネルと後面パネルとの共振によって発生する音圧のディップを上昇するようにローパスフィルタからの出力信号の電圧レベルを増加して低音スピーカに供給するレベル調整器とを備えるか、または、遊技機枠の前扉には窓と窓を後側から塞ぐパネル構造体と中高音スピーカと中高音放音孔部と低音放音孔部とが設けられ、中高音スピーカから放出された中高音が中高音放音孔部を経由して前扉の前方に放出され、パネル構造体が前面パネルと後面パネルとフレームとで囲まれた閉鎖空間を形成し、フレームには閉鎖空間に連なる筒状のスピーカ設置部と閉鎖空間に連なる音出口部とが設けられ、低音スピーカが振動板を前方に向けてスピーカ設置部に取り付けられ、低音スピーカの振動板から前方に放射された低音がスピーカ設置部から閉鎖空間および音出口部を経由して低音放音孔部から前方に放出される遊技音響装置であって、中高音スピーカに対するステレオ右チャンネル信号およびステレオ右チャンネル信号からの出力を加算してモノラル信号を生成する加算回路と、加算回路から出力されたモノラル信号から前面パネルと後面パネルとの共振によって発生する音圧のピークを遮断もしくは低減するローパスフィルタと、前面パネルと後面パネルとの共振によって発生する音圧のディップを上昇するようにローパスフィルタからの出力信号の電圧レベルを増加して低音スピーカに供給するレベル調整器とを備えたことを最も主要な特徴とする。中高音スピーカが前側で低音スピーカが後側となるように、中高音スピーカおよび低音スピーカが前後方向に重ねられて配置されたり、または、パネル構造体の後側に配置されるように遊技機枠に取り付けられる遊技盤には低音スピーカを逃げるためのスピーカ逃避部が設けられたり、または、低音スピーカを後側から被覆するスピーカ後カバーがスピーカ設置部に設けられ、スピーカ後カバーには低音スピーカ後側に放出される低音をスピーカ後カバーの内部から後側に放出する放音孔部が設けられたりしてもよい。
【発明の効果】
【０００５】
本発明に係る遊技音響装置は、パネル構造体の閉鎖空間をエンクロージャとして用いた低音スピーカにおいて、前面パネルと後面パネルとの共振によって発生する音圧のピークおよびディップを補正した良好な音響特性を持つ遊技音響装置を構成することができるという利点がある。中高音スピーカが前側で低音スピーカが後側となるように、中高音スピーカおよび低音スピーカが前後方向に重ねられて配置されれば、中高音と低音との相互の干渉が防止でき、中高音スピーカと低音スピーカとが正面から見た場合の狭い場所に設けられるという利点がある。パネル構造体の裏側に配置されるように遊技機枠に取り付けられる遊技盤には、低音スピーカを逃げるためのスピーカ逃避部が設けられれば、低音スピーカがパネル構造体から後側に突出して取り付けられても、遊技盤の前面である遊技領域とパネル構造体の後面パネルの後面との間における球の落下する隙間を適切に確保することができるという利点がある。低音スピーカを後側から被覆するスピーカ後カバーがスピーカ設置部に設けられれば、低音スピーカの後側に放出された音が遊技盤の前面である遊技領域と後面パネルの後面との間における球の落下する隙間に回り込むことなく、遊技機枠の後側に適切に導かれるという利点がある。
【発明を実施するための最良の形態】
【０００６】
図１乃至図５は、発明を実施するための最良の形態である。図１は、遊技音響装置を示す。図２は、パチンコ遊技機を分解して示す。図３は、パチンコ遊技機の正面を示す。図４は、パネル構造体２０を分解して示す。図５は、図３をＡ―Ａ線に沿い切断した断面を示す。本明細書において、「前」、「後」、「左」、「右」、「上」、「下」の方向は、図２の状態に遊技機枠１および遊技盤３１を置いて矢印Ｓで示す前方から見た場合に特定される方向である。
【０００７】
図１を参照し、遊技音響装置について説明する。上扉４には、窓１６、パネル構造体２０、中高音スピーカ１９、中高音放音孔部１７、低音放音孔部１８が設けられる。パネル構造体２０には、低音スピーカ２３が設けられる。中高音スピーカ１９および低音スピーカ２３を制御する音制御装置７０は、ステレオ音源ＩＣ７１、ステレオ右チャンネル信号７２、ステレオ左チャンネル信号７３、右音量調整器７４、左音量調整器７５、右パワーアンプ７６、左パワーアンプ７７、加算回路７８、ローパスフィルタ７９、レベル調整器８０、低音パワーアンプ８１を備える。
【０００８】
そして、音制御装置７０が電力供給を受けて起動した後に図外の主制御装置から遊技音響に関する信号を入力されるのに伴い、ステレオ音源ＩＣ７１から出力されたステレオ右チャンネル信号７２が右音量調整器７４および右パワーアンプ７６を経由して右の中高音スピーカ１９に供給され、ステレオ音源ＩＣ７１から出力されたステレオ左チャンネル信号７３が左音量調整器７５および左パワーアンプ７７を経由して左の中高音スピーカ１９に供給される。左右の中高音スピーカ１９から放出された中高音は、個別に、中高音放音孔部１７を経由して上扉４の上部から前方に放出される。
【０００９】
加算回路７８は、右音量調整器７４および左音量調整器７５からの出力を加算してモノラル信号を生成し、そのモノラル信号をローパスフィルタ７９に出力する。ローパスフィルタ７９には、２つの役目がある。その１つは、低音スピーカ（サブウーファー）用信号として、高音信号を減衰もしくは遮断させ、低音信号のみを生成する役目である。もう１つは、前面パネルと後面パネルとの共振によって発生する音圧の２５０Ｈｚ近辺のピークを遮断もしくは低減する役目である。ローパスフィルタ７９から出力された低音信号は、レベル調整器８０に出力される。レベル調整器８０は、いわゆる増幅器であって、信号全体の電圧レベルを上昇させ１００Ｈｚ付近のディップを補正して低音パワーアンプ８１を経由させて低音スピーカ２３に供給する。低音スピーカ２３から前方に放出された低音は、パネル構造体２０の前パネル４２と後パネル４３およびフレーム４１で囲まれた閉鎖空間Ｄから低音放音孔部１８を経由して上扉４の下部から前方に放出される。
【００１０】
一般的に、低音スピーカ用エンクロージャは直方体もしくは立方体などに形成され、当該低音スピーカ用エンクロージャ内の空気は低音スピーカの振動板からの空気振動によって全方向（８方向）に均一に圧力をかけるので、低音スピーカ用エンクロージャのそれぞれの面が同様に膨らんだり収縮したりし、特定の面のみが大きく振動することはない。
【００１１】
これに対し、パネル構造体２０の閉鎖空間Ｄをエンクロージャとして用いた低音スピーカによる音響について考察すると、エンクロージャを構成する閉鎖空間Ｄは、前後面の面積の広い前パネル４２と前後面の面積の広い後パネル４３とが前後方向に至近距離で平行に配置された構造である。つまり、前パネル４２と後パネル４３とからなる２枚のパネルにおける前後面の面積方向の縦横の距離に比べて２枚のパネルの前後方向に対向する距離が極端に短い構造である。この構造から、低音スピーカ２３の振動板（コーン）が前後に振幅すると、閉鎖空間Ｄの空気が前後に激しく動き、当該空気の振動によって２枚のパネルが太鼓のように前後にしなって２次的な振動を発生する。
【００１２】
また、低音スピーカ２３の振動板による１次振動と、前パネル４２と後パネル４３とからなる２枚のパネルによる２次振動との関係は、１次振動に対する２次振動は、時間的な遅れが無く（位相差が無く）、同時に振動する。１次振動と２次振動とが、周波数によって互いに同相、逆相状態が存在する。両者が同相の時は、音圧特性に鋭いピーク（山）を生じ、逆相の時は、鋭いディップ（谷）を生じる。この音圧特性の例では、ディップが１００Ｈｚ、４００Ｈｚ、８００Ｈｚ、１６００Ｈｚなどの周波数で発生し、ピークが２５０Ｈｚ、５００Ｈｚ、１０００Ｈｚなどの周波数で発生する。特に、１００Ｈｚ付近がディップの基本周波数で最大の谷を生じ、２５０Ｈｚ近辺がピークの基本周波数で最大の山を生じ、音圧特性が大きくうねっている。そして、周波数が上昇するにつれ、この共振の基本周波数の整数倍の周波数でピークディップを繰り返す特性である。さらに、２５０Ｈｚ付近では、前パネル４２と後パネル４３とからなる２枚のパネルによる特有の音色が強調され、聴感上、不快に感じる音声を発する。１００Ｈｚ付近では、音圧が極端に低くなり、低音の音圧不足を感じる。
【００１３】
そこで、２次共振を防止する機械的な構造による対策として、前パネル４２と後パネル４３との前後方向の対向間隔を大きくすること、前パネル４２と後パネル４３との中央部を振動しないように支柱で結合すること、前パネル４２と後パネル４３とを振動しないように前パネル４２と後パネル４３との前後方向の板厚を厚くすること、前パネル４２と後パネル４３とを振動しないように前パネル４２の前面または後面と後パネル４３の前面または後面とにゴムシートを貼付することなどが考えられるけれども、これらは、いずれも、遊技機として、にわかに採用できない構造である。
【００１４】
これに対し、図１に示す２次共振を防止する電気的な構成を用い、２５０Ｈｚ近辺のピークを低減若しくは遮断するために、ローパスフィルタ７９として、減衰特性≒−４０ｄＢ／ｏｃｔ、カットオフ周波数（Ｆｃ）≒２００Ｈｚの特性を有するものを使用した。そして、１００Ｈｚ付近の音量自体を増加させるために、レベル調整器８０によってローパスフィルタ７９からの出力の電圧レベルを上昇させた。これによって、サブウーハー特性を実現させることができる。
【００１５】
ａ図において、実線Ｌ１は、ローパスフィルタ７９の減衰特性≒−４０ｄＢ／ｏｃｔ、カットオフ周波数（Ｆｃ）≒２００Ｈｚの遮断特性を示す。実線Ｌ２は、閉鎖空間Ｄをエンクロージャとして用いた低音スピーカ２３の音圧特性を示す。よって、実線Ｌ１で示す音圧特性は、ローパスフィルタ７９の遮断もしくは減衰処理の結果として、ｂ図の実線Ｌ３に示す波形に変換されると推測される。さらに、レベル調整器８０によって電圧増幅されることによって、音圧特性は、ｃ図の仮想線Ｌ３から実線Ｌ４にアップされる波形になる。ｂ図の実線Ｌ３とｃ図の仮想線Ｌ３とは、同一の音圧特性の波形である。ｄ図に示す低音スピーカ２３から閉鎖空間Ｄおよび低音放音孔部１８を経由して上扉４の下部から前方に放出される実線Ｌ４のサブウーハー特性を有する低音と、左右の中高音スピーカ１９から中高音放音孔部１７を経由して上扉４の上部から前方に放出される点線Ｌ５の特性を有する中高音とが合わされることによって、実線Ｌ６の総合特性になる。
【００１６】
このように、最良の形態によれば、ローパスフィルタ７９として、減衰特性≒−４０ｄＢ／ｏｃｔ、カットオフ周波数（Ｆｃ）≒２００Ｈｚの特性を有するものを使用し、レベル調整器８０でローパスフィルタ７９からの出力の電圧レベルを上昇することによって、パネル構造体２０の閉鎖空間Ｄをエンクロージャとして用いたサブウーハーとした良好な音響特性を持つ遊技音響装置を構成することができ、音響特性上のピークおよびディップを回避することができるという利点がある。
【００１７】
一方、低音スピーカ２３をサブウーハーと使用する場合、ステレオ音源ＩＣ７１から出力された低音信号を低音スピーカ２３に供給する経路に、不要な高音を遮断もしくは低減するためのローパスフィルタが用いられるのが一般的である。これに対し、最良の形態は、前パネル４２と後パネル４３との共振によって発生する音圧のピークを遮断もしくは低減するためのローパスフィルタ７９を用いている。このため、ローパスフィルタ７９を使用することによって、上記一般的なローパスフィルタを除去することができるという利点がある。
【００１８】
図２を参照し、遊技音響装置を備えた遊技機の例としてのパチンコ遊技機について説明する。パチンコ遊技機は、遊技機枠１の内部に遊技盤３１を交換可能に格納した形態である。遊技機枠１は、固定枠２の前に可動枠３を開閉可能に備え、可動枠３の前に上扉４および下扉５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、遊技盤３１や図外の制御装置など遊技に必要な部品を取り付ける前枠とも呼ばれる。可動枠３は、左側に位置するヒンジ６を中心とし、固定枠２の前で前側に開かれかつ後側に閉じられるように、片開き可能であって、盤設置構造体７、中央開口８、球発射機構９、施錠装置１０、掛止機構１１；１２；１３、掛止解除操作体１４を備える。
【００１９】
上扉４および下扉５は、遊技機枠１の前部における前扉を構成するものであって、個別に、左側に位置するヒンジ１５を中心とし、可動枠３の前で前側に開かれかつ後側に閉じられるように、片開き可能である。上扉４は、パネル枠とも呼ばれ、前後方向に貫通する窓１６を囲む額縁形状である。上扉４の前部には、中高音放音孔部１７、低音放音孔部１８が設けられる。上扉４の後部には、中高音スピーカ１９、パネル構造体２０、掛止部材２１が設けられる。中高音スピーカ１９は、窓１６の上部で窓１６を境として左右に分かれ、上扉４の後側から上扉４の後部に図外の止ねじで取り付けられる。
【００２０】
パネル構造体２０は、左側に位置するヒンジ２２を中心とし、上扉４の後で後側に開かれかつ前側に閉じられるように、片開き可能である。パネル構造体２０が閉じられて上扉４に掛止部材２１で開閉不能に支持されると、パネル構造体２０が窓１６を後側から塞ぐ。パネル構造体２０には、低音スピーカ２３が設けられる。低音スピーカ２３がパネル構造体２０に設けられる構造は、図４で後述する。下扉５は、皿構造体とも呼ばれる。下扉５の前部には、受皿２４および発射操作機構２５が設けられる。下扉５の後部には、球取入口２６および球供給口２７が設けられる。
【００２１】
遊技盤３１の前面には、ガイドレール３２、入賞部品３３、センター飾り３４、アウト口３５、遊技釘３６、発射通路３７などの遊技部品が設けられる。遊技盤３１の左上隅部には、スピーカ逃避部３８が設けられる。遊技盤３１が可動枠３の前側から盤設置構造体７に装着され、上扉４が閉じられた場合、低音スピーカ２３の後部が遊技盤３１の前側からスピーカ逃避部３８を経由して遊技盤３１の後側に突出する。閉じられた上扉４が可動枠３に掛止機構１２で開閉不能に支持された場合、図３または図５に示すように、遊技盤３１の前面や遊技部品が遊技機枠１の前方から窓１６およびパネル構造体２０を通して見える形態となる。
【００２２】
そして、図外の主制御装置や図１の音制御装置７０などからなる図外の制御装置が電力供給を受けて起動し、パチンコ球と呼ばれる球が受皿２４に入れられ、遊技者が発射操作機構２５を操作し、発射操作機構２５から操作量に相当する電気的な出力が制御装置に入力され、制御装置が球発射機構９を駆動すると、球発射機構９が受皿２４から球供給口２７を経由して供給された球を１個ずつ発射操作機構２５による操作量に応じた機械的な出力で遊技盤３１の発射通路３７に向けて発射する。
【００２３】
発射通路３７から遊技領域３９（図５参照）に発射された球が入賞部品３３に入賞し、図外の球検出器が入賞部品３３に入賞した球を検出した入賞信号を制御装置に出力し、制御装置が入賞信号に基づき中高音スピーカ１９または低音スピーカ２３を駆動すると、中高音が中高音スピーカ１９から中高音放音孔部１７を経由して上扉４の上部から前側に放出され、低音が低音スピーカ２３から低音放音孔部１８を経由して上扉４の下部から前側に放出される。
【００２４】
図３に示すように、遊技機枠１を正面である前側から見た場合、中高音放音孔部１７が上扉４の上部に配置されているので、中高音スピーカ１９からの中高音が遊技者の耳に近くから伝わり、低音放音孔部１８が上扉４の下部に配置されているので、低音スピーカ２３からの低音が遊技者の耳に安定感のある音として伝わるという利点がある。つまり、中高音放音孔部１７と低音放音孔部１８とが音響工学的に良好な場所に設けられたという利点がある。
【００２５】
図４を参照し、パネル構造体２０の構造について説明する。パネル構造体２０は、フレーム４１に、前パネル４２と後パネル４３と低音スピーカ２３およびスピーカ後カバー４４を取り付けることによって、構成される。フレーム４１は、前パネル４２および後パネル４３よりも大形な外形を有する板状に構成される。フレーム４１には、透視開口部４５、前パネル収容部４６、後パネル収容部４７、ヒンジ４８、掛止受止部４９、スピーカ設置部５０、スピーカ前カバー５１、前開口５２、音導入路５３、パネル支持体５４、フレーム音出口５５が設けられる。
【００２６】
透視開口部４５は、窓１６（図２参照）よりも大きな相似形で、前後方向への貫通孔を構成する。前パネル収容部４６は、前パネル４２の周縁部を収容する窪みとして、透視開口部４５の前部とスピーカ設置部５０の前部とに設けられる。ヒンジ４８は、図２のヒンジ２２におけるパネル構造体２０に設けられたヒンジ要素を構成するものであって、フレーム４１の左側部に上下に分かれて設けられる。
【００２７】
図４に戻り、掛止受止部４９は、フレーム４１の右側部に上下に分かれて設けられる。スピーカ設置部５０は、透視開口部４５の左上部よりも外側に位置し、前パネル収容部４６の内外に跨り、前後方向に貫通する筒状に構成される。スピーカ前カバー５１は、前パネル収容部４６よりも外側におけるスピーカ設置部５０の前部を塞ぐ板状に構成される。前開口５２は、スピーカ設置部５０のスピーカ前カバー５１や前パネル収容部４６で覆われていない部分である。音導入路５３は、前開口５２から透視開口部４５に音を誘導する窪みとして、透視開口部４５とスピーカ設置部５０との間に設けられる。
【００２８】
パネル支持体５４は、前開口５２の近くにおいて後パネル収容部４７の前面、フレーム音出口５５の近くにおける前パネル収容部４６の後面に設けられる。前開口５２の近くにおいて後パネル収容部４７の前面に設けられたパネル支持体５４は、前パネル４２を受け止める突起を構成する。フレーム音出口５５の近くにおける前パネル収容部４６の後面に設けられたパネル支持体５４は、後パネル４３を受け止める突起を構成する。フレーム音出口５５は、前パネル収容部４６の左下部よりも外側に位置し、前後方向への貫通孔を構成する。
【００２９】
前パネル４２は、無色透明なガラス板により構成される。前パネル４２には、張出部５６が左上部に設けられる。前パネル４２の周縁部が前パネル収容部４６に収容されて図外の接着剤で固定され、前パネル４２がフレーム４１に取り付けられた場合、仮想線Ｌ１で囲まれた部分が透視開口部４５の前部を塞ぎ、張出部５６が前開口５２の前部と音導入路５３の前部とを塞ぐ。
【００３０】
後パネル４３は、無色透明なガラス板により構成される。後パネル４３には、張出部５７が左下部に設けられる。後パネル４３の周縁部が後パネル収容部４７に収容されて図外の接着剤で固定され、後パネル４３がフレーム４１に取り付けられた場合、仮想線Ｌ２で囲まれた部分が透視開口部４５の後部を塞ぎ、張出部５７が、フレーム音出口５５の後部を塞ぐ。
【００３１】
低音スピーカ２３は、前方に開口した円錐形状の振動板５８の後部に音響変換部５９を備え、振動板５８の前縁部から外側にフランジ６０を突出し、フランジ６０に複数のねじ挿入孔６１を備え、音響変換部５９が音響変換部５９から外側に突出した被覆電線からなる引出線６２から入力された音電流を機械的な振動に変換して振動板５８に伝達し、振動板５８が伝達された振動を低音波として拡大して放出する。引出線６２にはコネクタ６３が設けられる。
【００３２】
低音スピーカ２３がフレーム４１に取り付けられる場合、振動板５８の前開口が前方に向けられるように、低音スピーカ２３がフレーム４１の後方からスピーカ設置部５０に配置されることによって、振動板５８および音響変換部５９がスピーカ設置部５０に接触せず、フランジ６０の前面がスピーカ設置部５０の後面に接触する。そして、タッピングスクリューのような止ねじ６４が低音スピーカ２３の後からねじ挿入孔６１を経由してスピーカ設置部５０に締結される。これによって、低音スピーカ２３が、スピーカ設置部５０から後方に突出するように、スピーカ設置部５０に取り付けられる。
【００３３】
スピーカ後カバー４４は、前方に開口した箱形である。スピーカ後カバー４４の前開口５２の周縁部には、取付部としてのねじ挿入孔６５が設けられる。スピーカ後カバー４４の後壁には、多数の貫通孔からなる放音孔６６が設けられる。スピーカ後カバー４４が被せられる場合、コネクタ６３がスピーカ後カバー４４の前から放音孔６６を構成する１つの貫通孔に挿入されてスピーカ後カバー４４の後に引き出されることによって、引出線６２がスピーカ後カバー４４の後壁に貫通させられる。そして、スピーカ後カバー４４が低音スピーカ２３の後から低音スピーカ２３に被せられ、スピーカ後カバー４４の前開口５２の周縁部がスピーカ設置部５０の後部に接触され、タッピングスクリューのような止ねじ６７がスピーカ後カバー４４の後からねじ挿入孔６５を経由してスピーカ設置部５０に締結される。これによって、スピーカ後カバー４４がスピーカ設置部５０に取り付けられる。
【００３４】
図５において、遊技盤３１の前面と後パネル４３との間におけるガイドレール３２で囲まれた空間が球の飛び交う遊技領域３９である。パネル構造体２０の前面パネル４２と後パネル４３およびフレーム４１で囲まれた閉鎖空間Ｄは、低音スピーカ２３から放出された低音を低音放音孔部１８に誘導する空気の振動による音の矢印Ｘ１で示す伝達路を形成する。低音スピーカ２３の振動板５８から前側に放出された音は、閉鎖空間Ｄの空気振動として全て伝達されるので、閉鎖空間Ｄからフレーム音出口５５および低音放音孔部１８を経由して上扉４の前方に効率よく放出される。
【００３５】
低音スピーカ２３の振動板５８から後側に放出された音は、空気の振動による音の矢印Ｘ２で示す伝達路により、スピーカ後カバー４４の内部と放音孔６６および遊技盤３１のスピーカ逃避部３８を経由して遊技盤３１の後側に放出される。よって、振動板５８から前側に放出された音と振動板５８から後側に放出された音とが、互いに干渉することがなく、互いに打ち消し合うことはない。
【００３６】
低音放音孔部１８が空気の流れによるヘルムホルツ共振現象を発生するように、低音放音孔部１８の断面積と長さとが設定されているので、低音の固有の共振周波数が強調され、閉鎖空間Ｄで構成されたエンクロージャに対し低音放音孔部１８がバスレフダクトの役目を果たす。低音放音孔部１８の断面積は、低音放音孔部１８における音の矢印Ｘ１で示す伝達路と直交する方向の通路断面である。低音放音孔部１８の長さは、低音放音孔部１８における音の矢印Ｘ１で示す伝達路方向の長さである。
【００３７】
中高音スピーカ１９および低音スピーカ２３が前後方向に重ねられて配置されているので、中高音と低音との相互の干渉が防止でき、中高音スピーカ１９と低音スピーカ２３とが正面から見た場合の狭い場所に設けられるという利点がある。
【００３８】
パネル構造体２０の後側に配置されるように遊技機枠１に取り付けられる遊技盤３１には、低音スピーカ２３を逃げるためのスピーカ逃避部３８が設けられているので、低音スピーカ２３がパネル構造体２０から後側に突出しても、遊技領域３９の前後方向の隙間を球の通過し得る寸法に適切に確保することができるという利点がある。
【００３９】
低音スピーカ２３を後側から被覆するスピーカ後カバー４４がスピーカ設置部５０に設けられているので、低音スピーカ２３の後側に放出された音が遊技領域３９に回り込むことなく、遊技機枠１の後側に適切に導かれ、低音スピーカ２３の後側に放出される低音が上扉４の前側に放出される低音と打ち消しあうように干渉する不都合はないという利点がある。
【産業上の利用可能性】
【００４０】
図２において、低音スピーカ２３が前後方向に重ねられて配置される場所は、遊技機枠１の左上部に限定されるものではない。また、低音放音孔部１８は、複数でもよい。上扉４および下扉５は、単一体として構成されてもよい。
【００４１】
図２において、遊技盤３１を可動枠３の後から盤設置構造体７に装着する構造でもよい。
【００４２】
図６は、異なる形態に係る音制御装置７０を示す。図６では、図１のステレオ音源ＩＣ７１に相当するステレオ音源ＩＣ８２が用いられる。ステレオ音源ＩＣ８２は、左ステレオ出力端子８３と右ステレオ出力端子８４とサブウーファー出力端子８５と加算回路７８とサブウーファー用の一般的なローパスフィルタ８６とを備えた点で、ステレオ音源ＩＣ７１と異なる。左ステレオ出力端子８３には、音量調整器７４が接続される。右ステレオ出力端子８４には、音量調整器７５が接続される。サブウーファー出力端子８５には、図１のローパスフィルタ７９に相当するローパスフィルタ８７が接続される。ローパスフィルタ８７は、高音信号を減衰もしくは遮断させて低音信号のみを生成する機能を持たず、前面パネルと後面パネルとの共振によって発生する音圧の２５０Ｈｚ近辺のピークを遮断もしくは低減する機能を有する点で、ローパスフィルタ７９と異なる。よって、ローパスフィルタ７９には、サブウーファー出力端子８５から出力される低音モノラル信号８８が入力される。異なる形態の場合、左ステレオ出力端子８３と右ステレオ出力端子８４とサブウーファー出力端子８５と加算回路７８とローパスフィルタ８６とを内蔵したステレオ音源ＩＣが市販されていることから、ステレオ音源ＩＣ８２として市販品を使用することができるという利点がある。
【図面の簡単な説明】
【００４３】
【図１】遊技音響装置の模式図（最良の形態）。
【図２】パチンコ遊技機の分解斜視図（最良の形態）。
【図３】パチンコ遊技機の正面図（最良の形態）。
【図４】パネル構造体の分解斜視図（最良の形態）。
【図５】図３のＡ―Ａ線断面図（最良の形態）。
【図６】遊技音響装置の模式図（異なる形態）。
【符号の説明】
【００４４】
１は遊技機枠、２は固定枠、３は可動枠、４は上扉、５は下扉、６はヒンジ、７は盤設置構造体、８は中央開口、９は球発射機構、１０は施錠装置、１１は掛止機構、１２は掛止機構、１３は掛止機構、１４は掛止解除操作体、１５はヒンジ、１６は窓、１７は中高音放音孔部、１８は低音放音孔部、１９は中高音スピーカ、２０はパネル構造体、２１は掛止部材、２２はヒンジ、２３は低音スピーカ、２４は受皿、２５は発射操作機構、２６は球取入口、２７は球供給口、２８乃至３０は欠番、３１は遊技盤、３２はガイドレール、３３は入賞部品、３４はセンター飾り、３５はアウト口、３６は遊技釘、３７は発射通路、３８はスピーカ逃避部、３９は遊技領域、４０は欠番、４１はフレーム、４２は前パネル、４３は後パネル、４４はスピーカ後カバー、４５は透視開口部、４６は前パネル収容部、４７は後パネル収容部、４８はヒンジ、４９は掛止受止部、５０はスピーカ設置部、５１はスピーカ前カバー、５２は前開口、５３は音導入路、５４はパネル支持体、５５はフレーム音出口、５６；５７は張出部、５８はコーン、５９は音響変換部、６０はフランジ、６１はねじ挿入孔、６２は引出線、６３はコネクタ、６４は止ねじ、６５はねじ挿入孔、６６は放音孔、６７は止ねじ、６８；６９は欠番、７０は音制御装置、７１はステレオ音源ＩＣ、７２はステレオ右チャンネル信号、７３はステレオ左チャンネル信号、７４は右音量調整器、７５は左音量調整器、７６は右パワーアンプ、７７は左パワーアンプ、７８は加算回路、７９はローパスフィルタ、８０はレベル調整器、８１は低音パワーアンプ、８２はステレオ音源ＩＣ、８３は左ステレオ出力端子、８４は右ステレオ出力端子、８５はサブウーファー出力端子、７８は加算回路、８６はローパスフィルタ、８７はローパスフィルタ、８８は低音モノラル信号、Ｄは閉鎖空間。
【図１】
2008237501.tif 000003
【図２】
2008237501.tif 000004
【図３】
2008237501.tif 000005
【図４】
2008237501.tif 000006
【図５】
2008237501.tif 000007
【図６】
2008237501.tif 000008